(57)【要約】  磁気係止装置（１０）は、家具の可動部に適用可能であると共に、家具の固定部に適用可能である磁気開閉装置に係止可能であり、強磁性要素（１１）を備え、少なくとも１つの永久磁石（１２）が強磁性要素（１１）と磁気的に接続される。強磁性要素（１１）は少なくとも１つの永久磁石（１２）と共に、開閉装置と磁気的に接続可能であるようにハウジング本体（１３）内に配置される。
2017508091.tif 000002
【特許請求の範囲】
【請求項１】
家具の可動部に適用可能であり、かつ、前記家具の固定部に適用可能な磁気開閉装置に係止可能な磁気係止装置（１０）であって、強磁性要素（１１）を備えるものにおいて、
前記強磁性要素（１１）と磁気的に接続される少なくとも１つの永久磁石（１２）を備え、前記強磁性要素（１１）が前記少なくとも１つの永久磁石（１２）と共に前記磁気開閉装置と磁気的に接続可能であるようにハウジング本体（１３）内に配置され、前記強磁性要素（１１）が前記ハウジング本体（１３）内に調整可能に配置されており、前記ハウジング本体（１３）が、前記強磁性要素（１１）と前記永久磁石（１２）の調整移動を可能にする寸法である、前記少なくとも１つの永久磁石（１２）のための内側座部（１４）を有することを特徴とする磁気係止装置。
【請求項２】
前記ハウジング本体（１３）は、縦軸に沿って延びる筒状周壁（１３’）を有するカップ状に形成され、前記ハウジング本体（１３）の前記周壁（１３’）は、前記強磁性要素（１１）を挿入するための前開口（１５）にて終端し、前記同じ強磁性要素（１１）が、前記前開口（１５）を通じて前記開閉装置と磁気的に接続できるように突出していることを特徴とする請求項１に記載の磁気係止装置。
【請求項３】
前記前開口（１５）での前記周壁（１３’）および前記強磁性要素（１１）は、前記ハウジング本体（１３）の前記周壁（１３’）の前記縦軸に沿って前記強磁性要素（１１）の調整を可能にするように形成された相互係合手段を有することを特徴とする請求項２に記載の磁気係止装置。
【請求項４】
前記相互係合手段はネジ部（１７、１８）として形成されていることを特徴とする請求項３に記載の磁気係止装置。
【請求項５】
前記強磁性要素（１１）は、前記ハウジング本体（１３）内で没入位置と突出位置との間で調整可能に移動可能であり、前記強磁性要素（１１）および前記ハウジング本体（１３）は、前記没入位置と前記突出位置との間に前記強磁性要素（１１）の移動を制限すべく相互係合可能なストッパー手段（２０、２１、２２）を有することを特徴とする請求項３または４に記載の磁気係止装置。
【請求項６】
前記強磁性要素（１１）は、手動でまたは前記同じ強磁性要素（１１）を調整可能に移動させるためのツールを用いて作動させることができる把持手段（２３）を備えることを特徴とする請求項１に記載の磁気係止装置。
【請求項７】
前記永久磁石（１２）は、前記磁気開閉装置により発生される起磁力を直列に加える起磁力を発生するように構成されかつ配設されていることを特徴とする請求項１〜６の何れか一項に記載の磁気係止装置。
【請求項８】
前記永久磁石（１２）および前記強磁性要素（１１）は、互いに接触していることを特徴とする請求項１から７のいずれか１項に記載の磁気係止装置。
【請求項９】
前記永久磁石（１２）と前記強磁性要素（１１）の間の接触面は、前記永久磁石（１２）の磁化軸に直交した平面内にあることを特徴とする請求項８に記載の磁気係止装置。
【請求項１０】
前記永久磁石（１２）の磁化軸は、前記縦軸に平行であることを特徴とする請求項３〜９の何れか一項に記載の磁気係止装置。
【請求項１１】
磁気開閉装置と、請求項１〜１０の何れか一項に記載の磁気係止装置との組合せ。
【請求項１２】
家具の可動部に適用され、前記家具の固定部に適用された磁気開閉装置に係止可能である請求項１〜１０の何れか一項に記載の磁気係止装置（１０）を備えた家具。
【発明の詳細な説明】
【技術分野】
【０００１】
本発明は、家具などの可動部用の磁気係止装置、特に、家具のドアまたは引き出しに適用可能であり、家具の固定部に適用できる磁気開閉装置に係止可能な磁気係止装置に関する。
【背景技術】
【０００２】
ハンドルまたは同様の把持手段のないドアまたは引き出しなどの可動部を有する家具を使用することは、家具分野において知られている。そのような場合には、ドアまたは引き出しを開くために、家具は、ロック可能である適切な開く手段を備えなければならず、閉じられているドアまたは引き出しを使用者が軽く押した後に、開く手段が解除され、使用者がドアまたは引き出しを把持し、次いで完全に開くために十分である第１の広がりについてドアまたは引き出しの開方向の移動を発生させる。
【０００３】
しばしば、このタイプの開く手段は、家具の壁に配置された例えば特許の国際公開第２００８／０３１８１４号から知られているような磁気開閉装置の形態であり、この装置は、固定された永久磁石および解除可能なスライダが配置されている箱状本体を備え、このスライダは、開方向に作用するばねの作用によって挿入位置と突出位置との間で移動可能であり、それは挿入位置に解除可能なやり方でロックされ得る。
【０００４】
強磁性材料製のプレートが、家具のドアまたは引き出しに通常設けられる。このプレートは、家具の可動部の閉位置において上述の装置の永久磁石に磁気的に付着可能であり、それをその位置に保持するようになっている。
【０００５】
しかしながら、場合によっては、このような解決策は、ドアまたは引き出しを保持するのに十分な力が確実なものではなく、それらが意に反して解除されて開位置へ移動し得る危険が結果として生じる。具体的には、これは、家具およびその可動部の特定の構成用の部品について極端に重い重量の場合に、また機械加工公差またはクリアランスまたはさらにその部品の後の調整の結果として起こり得る。
【０００６】
したがって、ドアまたは引き出しを保持するためのより大きい保持力を実現し、その力は家具の可動部の特定の構成または後の調整の場合にも十分であり得るようにする必要がある。
【発明の概要】
【発明が解決しようとする課題】
【０００７】
したがって、本発明の主要な目的は、家具などの可動部用の、特にドアまたは引き出し用の磁気係止装置を提供することであり、これは、簡単なやり方でドアまたは引き出しに適用可能であり、それらが知られているタイプの磁気開閉装置に係止されるときにこれらの同ドアまたは引き出しのために高い磁気保持力を実現することを可能にさせる。
【０００８】
さらなる目的は、家具などの可動部を係止する磁気係止装置を提供することであり、これは、同可動部の特定の構成または後の調整の場合にも保持力の効果を可能にするように構成される。
【課題を解決するための手段】
【０００９】
上記は、家具の可動部に適用可能であると共に、家具の固定部に適用可能である磁気開閉装置に係止可能である、強磁性要素を備えた磁気係止装置において、少なくとも１つの永久磁石が前記強磁性要素と磁気的に接続され、前記強磁性要素が前記少なくとも１つの永久磁石と共に、前記開閉装置と磁気的に接続可能であるようにハウジング本体内に配置されることを特徴とする磁気係止装置によって実現可能である。
【００１０】
本発明のさらなる特徴は、以下の本明細書中の特許請求の範囲に定められている。
【００１１】
本発明の特徴および利点は、以下の添付図面を参照して家具の可動部を係止するための磁気係止装置の好ましい非限定の実施形態の後述の説明の中でより明らかに現れよう。
【図面の簡単な説明】
【００１２】
【図１】ハウジング本体の軸を通る平面に沿った磁気係止装置の縦断面図である。
【図２】図１の磁気係止装置の分解図である。
【発明を実施するための形態】
【００１３】
本発明による磁気係止装置は、家具の可動部、例えばドアまたは引き出しなどに特に適用可能に構成され、家具の固定部に適用可能な磁気開閉装置に係止可能である。
【００１４】
本明細書中で検討されているタイプの磁気開閉装置は、例えば、同出願人によって出願された特許出願の国際公開第２００８／０３１８１４号に例示されている。磁気的ラチェットタイプのこの開閉スナップ装置は、チューブ形状を外部に有すると共に、家具の壁上へ適切な座部内に挿入することができ、可動閉鎖要素、例えば家具のドアまたは引き出しの前面と相互作用できるようになっている。この装置の一端には、相互に同軸であり家具の当接平面から突出しているスライダおよび磁石要素が配置されている。磁石要素は、スライダを囲み、自由に軸方向に変位でき、その前部に関しては、閉じたままにするように可動閉鎖要素に固定された強磁性材料プレートに吸着できる。スライダは、その軸を中心にして回転すると共に、磁石要素の広がりに対してより長い広がりについて縦方向に摺動することができる。その後部では、スライダは、挿入位置と突出位置との間でそれを変位させるのに必要なスライダ自体の回転のために制御または駆動装置を備える。この制御装置は、ボールペンに使用されるタイプのものである。
【００１５】
添付図面を参照すると、符号１０によってその全体として示される係止装置は強磁性要素１１を一般的に備え、少なくとも１つの永久磁石１２がこの強磁性要素１１に磁気的に接続しており、強磁性要素１１およびそれに接合した少なくとも１つの永久磁石１２は、強磁性要素１１が開閉装置、具体的には永久磁石または磁化された強磁性材料製の開放装置の一部と磁気的に接続可能であるようにハウジング本体１３内に配置される。
【００１６】
具体的には、永久磁石１２は、起磁力を発生させるように配設および構成され、これは開閉装置によって発生させられた起磁力を直列に加える。
【００１７】
永久磁石１２および強磁性要素１１は互いに接触している。
【００１８】
永久磁石１２と強磁性要素１１の間の接触面は永久磁石１２の磁化軸に直交した平面内にある。
【００１９】
優先的には、強磁性要素１１は少なくとも１つの磁石１２と共に、ハウジング本体１３内に調整可能に配置され、このために、ハウジング本体１３は、永久磁石１２を強磁性要素１１と共に調整移動することを可能にするのに適している寸法である少なくとも１つの永久磁石１２のための内側座部１４を有する。
【００２０】
本明細書中に示される好ましい実施形態では、ハウジング本体１３は、縦軸に沿って延びる筒状周壁１３’を有するカップ状に形成され、一端は底壁１３”によって閉じられている。この周壁１３’の他端は、強磁性要素１１を挿入するための前開口１５で終端しており、強磁性要素１１が前開口１５を通じて開閉装置と磁気的に接続可能となるように突出している。
【００２１】
より具体的には、ハウジング本体の縦軸に平行なその磁化軸に向けられると、永久磁石１２は、底壁１３”に向いている強磁性要素１１の背面側で強磁性要素１１と磁気的に接続され、ハウジング本体１３内に収容され、したがって起こり得る衝撃または損傷から保護されるようになっている。
【００２２】
特に、ハウジング本体１３は、家具の固定部または本体に向いているドアまたは引き出しの前面パネルの内側で、それらの厚さの中に与えられる座部に挿入するように構成される。具体的には、ハウジング本体１３は、その前開口１５が家具の内側に向いているように挿入されなければならない。
【００２３】
ドアにおける座部内のハウジング本体１３のしっかりした固定を確実にするために、好ましくは、本体１３は、上述の座部内に強制的に圧嵌され、および／または、適切な固定手段は、例えば周壁１３’の外側に形成された環状歯１６の形態で設けられると共にドアまたは引き出しにおける座部の内面の材料に係合するように設計される。優先的には、強磁性要素１１の上記調整のためには、前開口１５における周壁１３’、および強磁性要素１１は、ハウジング本体１３の周壁１３’の縦軸に沿った強磁性要素１１の調整を可能にするように適合された相互係合手段を有する。
【００２４】
本明細書中に示される最も好ましい実施形態では、上述の相互係合手段は、周壁１３’の内側および強磁性要素１１の外側にそれぞれ形成されたネジ部１７、１８として適合される。
【００２５】
上述の調整手段により、強磁性要素１１は、同要素の前面１１がハウジング本体１３の前面１９と同一平面である没入位置と、要素１１が家具の内側に向かって前面方向にハウジング本体１３から一部突出している突出位置との間で、ハウジング本体１３内で調整可能に移動できる。
【００２６】
一方ではハウジング本体１３からの要素１１の完全な係合解除を防ぐために、他方では永久磁石１２が底壁１３”から現れるのを防ぐために、優先的には、強磁性要素１１およびハウジング本体１３は、没入位置と突出位置との間の強磁性要素１１の移動を制限するために互いに係合可能であるストッパー手段を有する。
【００２７】
本明細書中に示された好ましい解決策では、ストッパー手段は、強磁性要素１１の後部で半径方向に突出するリップ部２０を備える。強磁性要素１１が没入位置にあるとき、前記リップ部２０は、ハウジング本体１３の内側に設けられたショルダ面２１に接触する一方で、強磁性要素１１の突出位置では、ストップタブ２２に接触する。
【００２８】
装置の組み立てのために、ストップタブ２２は、リップ部２０がタブ２２を越えて通過し、したがってショルダ面２１とストップタブ２２との間にそれ自体を位置決めすることを可能にするように強磁性要素１１の挿入中は半径方向に弾性的に可撓性である。
【００２９】
調整のために、優先的には、強磁性要素１１は、手動で、または強磁性要素１１を調整可能に移動させるための切欠きまたは溝２３など、ツールによって作動させることができる把持手段２３を備える。
【００３０】
本発明による磁気係止装置は、家具のドアまたは引き出しに簡単に適用することができ、少なくとも１つの永久磁石の存在により、それらが知られているタイプの磁気開閉装置に取り付けられるときにドアまたは引き出しを保持するための高い磁気保持力を実現することを可能にすることが上記説明から明らかである。
【００３１】
さらに、強磁性要素の調整が可能であるということにより、本発明による磁気係止装置は、家具の可動部の特定の構成または調整の場合でも、保持力の効果を実現するためなどのものである要素の位置を使用者が見つけることを可能にする。
【００３２】
本発明の磁気係止装置は、本発明の概念の範囲内に含まれる修正形態および変形形態の余地がある。さらに、構造的な細部は、技術的に均等な要素で置き換えられてもよい。
【図１】
2017508091.tif 000003
【図２】
2017508091.tif 000004
【国際調査報告】
2017508091.tif 000005
2017508091.tif 000006
2017508091.tif 000007